(57)【特許請求の範囲】
【請求項１】
基礎の立上部を成すプレキャストコンクリート基礎において、延設方向に設けられた主筋と、延設方向の端部側に当該延設方向と水平に交差する方向に他のプレキャストコンクリート基礎を接合させるための接合本体部を有する接合部材と、上記主筋に継がれるとともに上記接合部材に係合して定着される曲げ部を有する端部筋とを備えており、上記端部筋は、上記他のプレキャストコンクリート基礎の接合方向に水平に交差して配置されることを特徴とするプレキャストコンクリート基礎。
【請求項２】
請求項１に記載のプレキャストコンクリート基礎において、上記曲げ部がＵ字形状を有することを特徴とするプレキャストコンクリート基礎。
【請求項３】
請求項１または請求項２に記載のプレキャストコンクリート基礎において、上記主筋として２本の上端筋を備え、上記２本の上端筋と平行な２本の直線部を上記端部筋が備えることを特徴とするプレキャストコンクリート基礎。
【請求項４】
請求項１〜請求項３のいずれか１項に記載のプレキャストコンクリート基礎において、上記接合本体部が、上記延設方向に平行な上記立上部における立上面のうちの片面の側に設けられているとともに、上記交差する方向に延びる棒状部材を備えており、上記棒状部材に上記曲げ部が係合することを特徴とするプレキャストコンクリート基礎。
【請求項５】
請求項４に記載のプレキャストコンクリート基礎において、上記接合本体部に上記棒状部材が２本設けられており、これら２本の棒状部材の間に上記曲げ部が通されることを特徴とするプレキャストコンクリート基礎。
【請求項６】
請求項１〜請求項３のいずれか１項に記載のプレキャストコンクリート基礎において、上記接合本体部が、上記延設方向に平行な上記立上部における立上面の両方の側に設けられているとともに、両接合本体部を連結する連結部位に上記曲げ部が係合することを特徴とするプレキャストコンクリート基礎。
【請求項７】
請求項６に記載のプレキャストコンクリート基礎において、上記接合部材は、上記連結部位が上記接合本体部よりも細くされたことで全体として括れ形状をなすことを特徴とするプレキャストコンクリート基礎。
【請求項８】
請求項１〜請求項７のいずれか１項に記載のプレキャストコンクリート基礎において、上記接合本体部に近接し、上記延設方向と交差する方向の側に、鉛直方向に延びる縦アンカーボルトが設けられていることを特徴とするプレキャストコンクリート基礎。
【請求項９】
請求項１〜請求項８のいずれか１項に記載のプレキャストコンクリート基礎において、上記接合本体部に端部が近接し、上記延設方向に延びる水平配置の鉄筋が設けられていることを特徴とするプレキャストコンクリート基礎。
【請求項１０】
請求項１〜請求項９のいずれか１項に記載のプレキャストコンクリート基礎において、上記接合本体部に端部が近接し、上記延設方向に延びる水平配置のスパイラル筋が設けられていることを特徴とするプレキャストコンクリート基礎。
【発明の詳細な説明】
【技術分野】
【０００１】
この発明は、建物の基礎に用いるプレキャストコンクリート基礎に関する。
【背景技術】
【０００２】
特許文献１には、断面形状が縦長に形成されたプレキャストコンクリート本体に、縦横格子状に所定の鉄筋を埋設し、それを結束によって緊結させ、特に横方向の鉄筋をコンクリート両端部側面より水平に突出させて、設置時に隣り合わせた向き合うプレキャストコンクリート端部側面双方から突出した鉄筋の絡みによって、連続一体を担保する重ね継ぎ手長さを確保できるようにし、縦筋又はせん断補強筋の下端突出を平打ちの型枠コテ面内で処理し、適宜の位置にコンクリート製の脚部を設け、全体の形を単純化させた構造のプレキャストコンクリート基礎部材が開示されている。
【先行技術文献】
【特許文献】
【０００３】
【特許文献１】特開２０１１−６４０４７号公報
【発明の概要】
【発明が解決しようとする課題】
【０００４】
しかしながら、上記従来のプレキャストコンクリート基礎部材は、延設方向に設けられた主筋および延設方向の端部側に当該延設方向と水平に交差する方向に他のプレキャストコンクリート基礎を接合させるための接合部材を備える構造において、鉄筋量を少なくしつつ上記端部側での上記主筋の定着を実現できたものではない。
【０００５】
この発明は、上記の事情に鑑み、延設方向に設けられた主筋および延設方向の端部側に当該延設方向と水平に交差する方向に他のプレキャストコンクリート基礎を接合させるための接合部材を備える構造において、鉄筋量を少なくしつつ上記端部側での上記主筋の定着を実現できるプレキャストコンクリート基礎を提供することを課題とする。
【課題を解決するための手段】
【０００６】
この発明のプレキャストコンクリート基礎は、上記の課題を解決するために、基礎の立上部を成すプレキャストコンクリート基礎において、延設方向に設けられた主筋と、延設方向の端部側に当該延設方向と水平に交差する方向に他のプレキャストコンクリート基礎を接合させるための接合本体部を有する接合部材と、上記主筋に継がれるとともに上記接合部材に係合して定着される曲げ部を有する端部筋とを備えることを特徴とする。
【０００７】
上記の構成であれば、上記主筋の定着を、長さで確保するのではなく、上記端部筋の曲げ部を上記接合部材に係合して行うので、鉄筋量を少なくしつつ上記端部側における上記主筋の定着を実現することができる。
【０００８】
上記曲げ部がＵ字形状を有してもよい。このようなＵ字形状は加工が容易であり、上記端部筋のコスト低減が図れる。
【０００９】
上記主筋として２本の上端筋を備え、上記２本の上端筋と平行な２本の直線部を上記端部筋が備えてもよい。これによれば、上記２本の上端筋の各々を１個の端部筋における２本の直線部によって簡単に継ぐことができる。
【００１０】
上記接合本体部が、上記延設方向に平行な上記立上部における立上面のうちの片面の側に設けられているとともに、上記交差する方向に延びる棒状部材を備えており、上記棒状部材に上記曲げ部が係合してもよい。これによれば、上記棒状部材に上記曲げ部が係合するので、構造の簡単化が図れる。
【００１１】
上記接合本体部に上記棒状部材が２本設けられており、これら２本の棒状部材の間に上記曲げ部が通されることとしてもよい。これによれば、２本の棒状部材を越えて上記曲げ部を通す構造に比べ、端側においてコンクリートの適切なかぶり厚を確保することができる。
【００１２】
上記接合本体部が、上記延設方向に平行な上記立上部における立上面の両方の側に設けられているとともに、両接合本体部を連結する連結部位に上記曲げ部が係合してもよい。これによれば、上記接合部材の上記連結部位を用いて定着が行える。
【００１３】
上記接合部材は、上記連結部位が上記接合本体部よりも細くされたことで全体として括れ形状をなしてもよい。これによれば、上記括れ形状とされない場合に比べ、上記曲げ部の箇所において、コンクリートの適切なかぶり厚を確保することができる。
【００１４】
上記接合本体部に近接し、上記延設方向と水平に交差する方向の側に、鉛直方向に延びる縦アンカーボルトが設けられていてもよい。また、上記接合本体部に端部が近接し、上記延設方向に延びる水平配置の鉄筋が設けられていてもよい。また、上記接合本体部に端部が近接し、上記延設方向に延びる水平配置のスパイラル筋が設けられていてもよい。
【発明の効果】
【００１５】
本発明であれば、延設方向の端部側であって当該延設方向と水平に交差する方向に他のプレキャストコンクリート基礎を接合させるための接合部材が設けられる構造において、鉄筋量を少なくしつつ上記端部側での上記主筋の定着を実現できるという効果を奏する。
【図面の簡単な説明】
【００１６】
【図１】本発明の実施形態に係るプレキャストコンクリート基礎の一例を示す図であって、同図（Ａ）は平面図、同図（Ｂ）は側面図である。
【図２】同図（Ａ）は図１（Ａ）の平面視で配筋を示した説明図であり、同図（Ｂ）は図１（Ｂ）の側面視で配筋を示した説明図である。
【図３】図１のプレキャストコンクリート基礎の端部側を拡大して示した図であって、同図（Ａ）は平面図、同図（Ｂ）は平面視で配筋を示した説明図であり、同図（Ｃ）は側面視で配筋を示した説明図である。
【図４】同図（Ａ）は図３のＡ―Ａ矢視の配筋説明図であり、同図（Ｂ）は同Ｂ―Ｂ矢視の配筋説明図であり、同図（Ｃ）は同Ｃ―Ｃ矢視の配筋説明図であり、同図（Ｄ）は同Ｄ―Ｄ矢視の配筋説明図である。
【図５】図１のプレキャストコンクリート基礎で用いた接合部材の本体部を拡大して示した図であって、同図（Ａ）は平面図、同図（Ｂ）は側面図、同図（Ｃ）は正面図である。
【図６】図１のプレキャストコンクリート基礎で用いた接合部材の棒状部材を拡大して示した図であって、同図（Ａ）は正面図、同図（Ｂ）は側面図である。
【図７】他の実施形態のプレキャストコンクリート基礎の端部側の配筋を示した図であって、同図（Ａ）は平面図、同図（Ｂ）は平面視で配筋を示した説明図であり、同図（Ｃ）は側面視で配筋を示した説明図である。
【図８】同図（Ａ）は図７のＡ―Ａ矢視の配筋説明図であり、同図（Ｂ）は同Ｂ―Ｂ矢視の配筋説明図であり、同図（Ｃ）は同Ｃ―Ｃ矢視の配筋説明図である。
【発明を実施するための形態】
【００１７】
以下、この発明の実施の形態を添付図面に基づいて説明する。
図１（Ａ）、図１（Ｂ）および図２（Ａ）、図２（Ｂ）に示しているように、この実施形態にかかるプレキャストコンクリート基礎１は、布基礎の立上部(以下、基礎立上部という。)を成すものであり、その下部にはフーチング部は形成されていない。そして、上記基礎立上部の上部側に主筋である上端筋１１、１２がコンクリートに埋め込まれている。上記上端筋１１、１２は、鉛直方向に離間し、上記上端筋１１が上記上端筋１２よりも上側に位置し、平面視で重なるように設けられている。そして、このプレキャストコンクリート基礎１は、基礎立上部の下方において外部に露出するように下側主筋となる下端筋１３を備えており、この下端筋１３が現場において打設形成されるフーチング部内に埋設される。また、上記上端筋１１、１２と上記下端筋１３とを連結する縦筋１４が、基礎立上部の延設方向に所定間隔をおいて溶接等により設けられている。
【００１８】
また、上記プレキャストコンクリート基礎１は、その延設方向の端部側であって上記延設方向と水平に交差する方向に他のプレキャストコンクリート基礎を接合させるための接合部材２を備えている。この接合部材２の配置高さは、例えば、上記上端筋１１よりも下で上記上端筋１２よりも上となる位置に設定される。また、例えば、上記接合部材２の接合本体部２０（図５参照）は、上記延設方向に平行な上記基礎立上部における立上面（基礎立上部の側面）のうちの片面の側に設けられており、また、横断面で略Ｔ字状に接合凹部２０ａが形成された雌型（雄形とすることも可能である）とされている。
【００１９】
なお、このプレキャストコンクリート基礎１の他方の端部箇所には、延設方向に他のプレキャストコンクリート基礎を接合させるための接合部材３１が設けられており、また、途中箇所にも、延設方向と水平に交差する方向に他のプレキャストコンクリート基礎を接合させるための接合部材３２が設けられている。また、上記接合部材２が設けられる箇所には、上記接合本体部２０に近接し、上記延設方向と水平に交差する方向の側に、鉛直方向に縦アンカーボルト１５が設けられている。また、上記接合部材３２が設けられる箇所にも、鉛直方向に縦アンカーボルト１５が埋設されている。また、上記縦アンカーボルト１５の上端(例えば、ナット部からなる)は、上記プレキャストコンクリート基礎１の上端と略面一にされている。
【００２０】
図３（Ａ）、図３（Ｂ）、図３（Ｃ）にも示すように、上端筋１１、１２自体の端部は直線形状に形成されている。そして、上記接合部材２が設けられる箇所には、図４（Ａ）、図４（Ｂ）、図４（Ｃ）、図４（Ｄ）にも示すように、端部筋４１が設けられている。この端部筋４１は、上記上端筋１１、１２に継がれるとともに上記接合部材２に係合して定着されるＵ字形状の曲げ部４１ａを有する。この定着により、プレキャストコンクリート基礎１の端部において、プレキャストコンクリート基礎１に働く引っ張り力を上記上端筋１１、１２が負担することができる。また、上記端部筋４１は、上記２本の上端筋１１、１２と各々水平面内で平行に位置し、上端筋１１、１２と側面視で重なるように２本の直線部４１ｂを備える。この上端筋１１、１２と上記直線部４１ｂの重複部分において重ね継手（あき重ね継手）が形成される。
【００２１】
上記接合部材２は、上記延設方向に水平に交差する方向に延びる上記２本の棒状部材２１を、水平面内で互いに離間させて備えている。そして、上記端部筋４１は、上記棒状部材２１に上記曲げ部４１ａを係合させている。例えば、上記２本の棒状部材２１の間に、上記曲げ部４１ａが挿通される。また、上記縦アンカーボルト１５も上記２本の棒状部材２１の間に挿通されている。上記係合および挿通においては、部材同士が接触していなくてもよく、これら部材間に生じた隙間はプレキャストのコンクリートによって埋められることになる。また、上記プレキャストコンクリート基礎１の製作時には、例えば、上記接合部材２は型枠に留め付けておくことができる。
【００２２】
図５（Ａ）、図５（Ｂ）、図５（Ｃ）および図６（Ａ）、図６（Ｂ）にも示すように、上記接合部材２は、接合凹部２０ａおよび雌螺子２０ｂが形成された接合本体部２０と、この接合本体部２０から突出する上記棒状部材２１とを備える。上記棒状部材２１の一端側には雄螺子２１ａが切られており、この雄螺子２１ａが上記接合本体部２０に形成されている上記雌螺子２０ｂに螺合される。また、上記棒状部材２１の他端側は、当該棒状部材２１の胴部（雄螺子）の径よりも大径の鍔状部２１ｂが形成されている。また、上記鍔状部２１ｂは、かぶり厚を厚確保しつつ上記接合本体部２０から極力遠くに位置するのが望ましい。また、この例では、上記鍔状部２１ｂは、上記上端筋１１、１２の略中間部に位置している。
【００２３】
なお、上記鍔状部２１ｂには、六角レンチ等の締め付け具が入る凹部が形成されていてもよい。また、上記鍔状部２１ｂは２段に形成されているが、このような２段形状に限らない。また、一般の規格ボルトを上記棒状部材２１として用いることも可能である。また、上記棒状部材２１の本数は１本でもよいし、３本以上でもよい。また、複数本の上記棒状部材２１を斜めに配置してもよい。上記棒状部材２１を複数本とする場合には、その間に上記縦アンカーボルト１５が位置するのがよい。
【００２４】
また、上記上端筋１１、１２と平行でこれらの間を通るように直交筋４２が設けられている。上記直交筋４２は、上記接合本体部２０に端部が近接し、上記延設方向に延びる水平配置の鉄筋である。また、この直交筋４２は、上記棒状部材２１の下側で当該棒状部材２１に直交して位置する。さらに、上記直交筋４２は、螺旋形状を有するスパイラル筋４３内に位置しており、このスパイラル筋４３を番線等で支持することができる。上記スパイラル筋４３は、上記接合部材２に隣接して位置するとともに、上記２本の直線部４１ｂの間および上記２本の上端筋１１、１２の間を通るよう水平に設けられている。なお、上記スパイラル筋４３の断面形状は、円形でもよいし、角形でもよい。また、上記直交筋４２は他の鉄筋に番線等で連結されていてもよい。
【００２５】
上記の構成であれば、上記上端筋１１、１２の定着を、長さで確保するのではなく、上記端部筋４１の曲げ部４１ａを上記接合部材２に係合して行うので、鉄筋量を少なくしつつプレキャストコンクリート基礎１の端部側における上記上端筋１１、１２の定着を実現することができる。
【００２６】
上記曲げ部４１ａがＵ字形状であると、このようなＵ字形状は加工が容易であるので、上記端部筋４１のコスト低減が図れる。もちろん、上記曲げ部４１ａがＵ字形状を有することに限定されるものではない。
【００２７】
上記２本の上端筋１１、１２と平行に２本の直線部４１ｂを上記端部筋４１が備えていると、上記２本の上端筋１１、１２の各々を１個の端部筋４１における２本の直線部４１ｂによって簡単に継ぐことができる。もちろん、１本の上端筋を備える構成とすることもできる。
【００２８】
上記接合部材２の上記棒状部材２１に上記曲げ部４１ａが係合させる構造であると、係合構造の簡単化が図れる。
【００２９】
上記２本の棒状部材２１の間に上記曲げ部４１ａが通される構造であると、２本の棒状部材を越えて上記曲げ部を通す構造に比べ、プレキャストコンクリート基礎１の端側においてコンクリートの適切なかぶり厚を確保することが容易になる。
【００３０】
また、上記直交筋４２を備える構造、上記スパイラル筋４３を備える構造であると、プレキャストコンクリート基礎１の端側における強度を向上できる。
【００３１】
図７（Ａ）、図７（Ｂ）、図７（Ｃ）および図８（Ａ）、図８（Ｂ）、図８（Ｃ）に他の実施形態のプレキャストコンクリート基礎１を示す。この実施形態のプレキャストコンクリート基礎１は、接合部材２Ａを備える。この接合部材２Ａは、上記延設方向に平行な上記基礎立上部における立上面の両方の側に接合本体部２０を備えている。そして、両接合本体部２０を連結する連結部位２５に上記曲げ部４１ａが係合している。また、上記連結部位２５には鉛直方向に貫通部が形成されており、この貫通部に縦アンカーボルト１５が通される。これによれば、両接合本体部２０を連結する連結部位２５を用いて上端筋１１、１２の定着が行える。
【００３２】
上記接合部材２Ａは、連結部位２５が上記接合部材２Ａの接合本体部２０よりも細くされたことで全体として括れ形状をなしてもよい。この例では、上記接合部材２Ａの接合本体部２０の横幅および縦幅よりも、上記連結部位２５の横幅および縦幅が狭くされており、水平および垂直に括れ部（凹部）が形成されている。上記括れ部を有すると、この括れ部に係合される上記曲げ部４１ａの箇所において、コンクリートの適切なかぶり厚を確保することができる。
【００３３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３４】
１      ：プレキャストコンクリート基礎
２      ：接合部材
２Ａ    ：接合部材
１１    ：上端筋
１２    ：上端筋
１３    ：下端筋
１４    ：縦筋
１５    ：縦アンカーボルト
２０    ：接合本体部
２０ａ  ：接合凹部
２０ｂ  ：雌螺子
２１    ：棒状部材
２１ａ  ：雄螺子
２１ｂ  ：鍔状部
２５    ：連結部位
３１    ：接合部材
３２    ：接合部材
４１    ：端部筋
４１ａ  ：曲げ部
４１ｂ  ：直線部
４２    ：直交筋
４３    ：スパイラル筋
【図１】
0006594683.tif 000002
【図２】
0006594683.tif 000003
【図３】
0006594683.tif 000004
【図４】
0006594683.tif 000005
【図５】
0006594683.tif 000006
【図６】
0006594683.tif 000007
【図７】
0006594683.tif 000008
【図８】
0006594683.tif 000009